(57)【要約】      （修正有）【課題】負レンズ先行型の３群ズームレンズ系であって、変倍比を４．０倍程度にするとともに、小型で低価格なズームレンズ系を得る。【解決手段】物体側から順に、負の屈折力を有する第１レンズ群１０と、正の屈折力を有する第２レンズ群２０と、正の屈折力を有する第３レンズ群３０とからなり、変倍に際し、全てのレンズ群を移動させるズームレンズ系において、第２レンズ群２０は、物体側から順に、正の屈折力を有する第１レンズ２１と負の屈折力を有する第２レンズ２２の接合レンズ２３と、像側に凹面を向けたメニスカスレンズ２４とからなり、（１）及び（２）式を満足する。（１）−０．４＜ｆ２３／ｆ２４＜０．４（２）０．７＜ｆ３／ｆｔ＜１．３但し、ｆ２３；接合レンズ２３の合成焦点距離、ｆ２４；メニスカスレンズ２４の焦点距離、ｆ３：第３レンズ群３０の焦点距離、ｆｔ：長焦点距離端における全系の焦点距離。【選択図】図１
2010152316.tif 000002
【特許請求の範囲】
【請求項１】
物体側から順に、負の屈折力を有する第１レンズ群と、正の屈折力を有する第２レンズ群と、正の屈折力を有する第３レンズ群とからなり、
短焦点距離端から長焦点距離端への変倍に際し、第１レンズ群、第２レンズ群及び第３レンズ群の全てを移動させるズームレンズ系において、
第１レンズ群は、物体側から順に、負の屈折力を有する第１レンズと、負の屈折力を有する第２レンズと、正の屈折力を有する第３レンズとからなり、
第２レンズ群は、物体側から順に、物体側から順に位置する正の屈折力を有する第１レンズと負の屈折力を有する第２レンズの接合レンズと、像側に凹面を向けたメニスカスレンズとからなり、
次の条件式（１）及び（２）を満足することを特徴とするズームレンズ系。
（１）−０．４＜ｆ２３／ｆ２４＜０．４
（２）０．７＜ｆ３／ｆｔ＜１．３
但し、
ｆ２３；第２レンズ群の第１レンズと第２レンズの接合レンズの合成焦点距離、
ｆ２４；第２レンズ群の像側に凹面を向けたメニスカスレンズの焦点距離、
ｆ３：第３レンズ群の焦点距離、
ｆｔ：長焦点距離端における全系の焦点距離。
【請求項２】
請求項１に記載のズームレンズ系において、さらに次の条件式（３）及び（４）を満足するズームレンズ系。
（３）０．３＜ｆ１１／ｆ１２＜１．３
（４）−０．１４＜（Ｒ１５−Ｒ１４）／（Ｒ１５＋Ｒ１４）＜０．１４
但し、
ｆ１１；第１レンズ群の第１レンズの焦点距離、
ｆ１２；第１レンズ群の第２レンズの焦点距離、
Ｒ１４；第１レンズ群の第２レンズの像側の面の曲率半径、
Ｒ１５；第１レンズ群の第３レンズの物体側の面の曲率半径。
【請求項３】
請求項１または請求項２に記載のズームレンズ系において、
第３レンズ群は、１枚の正レンズからなり、
次の条件式（５）を満足するズームレンズ系。
（５）１．０５＜β３ｔ／β３ｗ＜１．３
但し、
β３ｔ；無限遠合焦時の長焦点距離端における第３レンズ群の横倍率、
β３ｗ；無限遠合焦時の短焦点距離端における第３レンズ群の横倍率。
【請求項４】
請求項１乃至請求項３のいずれか１項に記載のズームレンズ系において、
第１レンズ群の第２レンズ、第１レンズ群の第３レンズ、及び第２レンズ群の像側に凹面を向けたメニスカスレンズは、少なくとも一方の面が非球面の樹脂レンズであり、
次の条件式（６）を満足するズームレンズ系。
（６）｜ｆ１／ｆ１ｐ−ｆ２／ｆ２ｐ｜＜０．６
但し、
ｆ１；第１レンズ群の焦点距離、
ｆ１ｐ；第１レンズ群内の樹脂レンズの合成焦点距離、
ｆ２；第２レンズ群の焦点距離、
ｆ２ｐ；第２レンズ群内の樹脂レンズの焦点距離。
【請求項５】
請求項１乃至請求項４のいずれか１項に記載のズームレンズ系において、
第３レンズ群は、少なくとも一方の面が非球面からなる１枚の樹脂製正レンズからなり、無限遠物体から近距離物体へのフォーカシングに際し、光軸上を物体側に移動するズームレンズ系。
【請求項６】
請求項１乃至請求項５のいずれか１項に記載のズームレンズ系を備えた電子撮像装置。
【請求項７】
物体側から順に、負の屈折力を有する第１レンズ群と、正の屈折力を有する第２レンズ群と、正の屈折力を有する第３レンズ群とからなり、
短焦点距離端から長焦点距離端への変倍に際し、第１レンズ群、第２レンズ群及び第３レンズ群の全てを移動させるズームレンズ系において、
第１レンズ群は、物体側から順に、負の屈折力を有する第１レンズと、負の屈折力を有する第２レンズと、正の屈折力を有する第３レンズとからなり、
第２レンズ群は、物体側から順に、物体側から順に位置する正の屈折力を有する第１レンズと負の屈折力を有する第２レンズの接合レンズと、像側に凹面を向けたメニスカスレンズとからなり、
次の条件式（３）及び（４）を満足することを特徴とするズームレンズ系。
（３）０．３＜ｆ１１／ｆ１２＜１．３
（４）−０．１４＜（Ｒ１５−Ｒ１４）／（Ｒ１５＋Ｒ１４）＜０．１４
但し、
ｆ１１；第１レンズ群の第１レンズの焦点距離、
ｆ１２；第１レンズ群の第２レンズの焦点距離、
Ｒ１４；第１レンズ群の第２レンズの像側の面の曲率半径、
Ｒ１５；第１レンズ群の第３レンズの物体側の面の曲率半径。
【発明の詳細な説明】
【技術分野】
【０００１】
本発明は、デジタルカメラ等に用いられるズームレンズ系及びそれを用いた電子撮像装置に関する。
【背景技術】
【０００２】
収納時にレンズ群の間隔を圧縮して収納する沈胴型ズームレンズ系において、変倍比３倍程度では、小型化を実現するために負レンズ先行型（ネガティブリード型）の３成分からなる３群タイプが多く用いられている（特許文献１〜特許文献４）。
また、変倍比３．６倍程度でワイド端（短焦点距離端）での広画角を実現するズームレンズ系として、ガラス非球面レンズを多用したものがある（特許文献５〜特許文献８）。
更に、変倍比４倍以上のズームレンズ系としては、正レンズ先行型の４成分からなる４群タイプが用いられることが多い。
【先行技術文献】
【特許文献】
【０００３】
【特許文献１】特開２００２−４８９７５号公報
【特許文献２】特開２００５−３７７２７号公報
【特許文献３】特開２００６−２７６８９７号公報
【特許文献４】特開２００７−２８６５７７号公報
【特許文献５】特開２００５−０９９０９１号公報
【特許文献６】特開２００５−０８４６４７号公報
【特許文献７】特開２００５−０８４６４８号公報
【特許文献８】特開２００５−０８４６４９号公報
【発明の概要】
【発明が解決しようとする課題】
【０００４】
しかしながら、特許文献１〜特許文献４記載のズームレンズ系は、変倍比が３倍程度であるため、変倍機能が不十分である。また、このタイプのズームレンズ系で４．０倍程度の変倍比を実現しようとするとレンズが大型化してしまい、同等の性能で小型化を実現しようとすると、レンズ枚数の増加やガラス非球面レンズの多用によって高価格となってしまう。例えば、特許文献５〜特許文献８記載のズームレンズ系は、ガラス非球面レンズを多用しているため、高価格であり、小型化も不十分である。
一方、正レンズ先行型の４群ズームレンズ系は、変倍比を大きくしても使用時のレンズ全長を短くできるが、レンズ群が増えるので収納時のレンズ全長を短くすることは難しく、第１レンズ群のレンズ径が大きくなるため小型化が不十分である。
このように、負レンズ先行型の３群ズームレンズ系にあって、４．０倍程度の変倍比、小型化、及び低価格化を全て併せ持つズームレンズ系が望まれていた。
【０００５】
本発明は、以上の問題意識に基づいてなされたものであり、負レンズ先行型の３群ズームレンズ系であって、変倍比４．０倍程度を実現し、小型で低価格なズームレンズ系を得ることを目的とする。
【課題を解決するための手段】
【０００６】
本発明のズームレンズ系は、物体側から順に、負の屈折力を有する第１レンズ群と、正の屈折力を有する第２レンズ群と、正の屈折力を有する第３レンズ群とからなり、短焦点距離端から長焦点距離端への変倍に際し、第１レンズ群、第２レンズ群及び第３レンズ群の全てを移動させるズームレンズ系において、第１レンズ群は、物体側から順に、負の屈折力を有する第１レンズと、負の屈折力を有する第２レンズと、正の屈折力を有する第３レンズとからなり、第２レンズ群は、物体側から順に、物体側から順に位置する正の屈折力を有する第１レンズと負の屈折力を有する第２レンズの接合レンズと、像側に凹面を向けたメニスカスレンズとからなり、次の条件式（１）及び（２）を満足することを特徴とする。
（１）−０．４＜ｆ２３／ｆ２４＜０．４
（２）０．７＜ｆ３／ｆｔ＜１．３
但し、
ｆ２３；第２レンズ群の第１レンズと第２レンズの接合レンズの合成焦点距離、
ｆ２４；第２レンズ群の像側に凹面を向けたメニスカスレンズの焦点距離、
ｆ３：第３レンズ群の焦点距離、
ｆｔ：長焦点距離端における全系の焦点距離、
である。
【０００７】
更に、上記条件式（２）が規定する条件範囲の中でも、以下の条件式（２ａ）で規定される条件範囲を満足することが好ましい。
（２ａ）０．７＜ｆ３／ｆｔ＜１．２
【０００８】
本発明のズームレンズ系は、さらに、次の条件式（３）及び（４）を満足することが好ましい。
（３）０．３＜ｆ１１／ｆ１２＜１．３
（４）−０．１４＜（Ｒ１５−Ｒ１４）／（Ｒ１５＋Ｒ１４）＜０．１４
但し、
ｆ１１；第１レンズ群の第１レンズの焦点距離、
ｆ１２；第１レンズ群の第２レンズの焦点距離、
Ｒ１４；第１レンズ群の第２レンズの像側の面の曲率半径、
Ｒ１５；第１レンズ群の第３レンズの物体側の面の曲率半径、
である。
【０００９】
更に、上記条件式（４）が規定する条件範囲の中でも、以下の条件式（４ａ）で規定される条件範囲を満足することが好ましい。
（４ａ）−０．１４＜（Ｒ１５−Ｒ１４）／（Ｒ１５＋Ｒ１４）＜０．１０
【００１０】
第３レンズ群は、１枚の正レンズからなり、次の条件式（５）を満足することが好ましい。
（５）１．０５＜β３ｔ／β３ｗ＜１．３
但し、
β３ｔ；無限遠合焦時の長焦点距離端における第３レンズ群の横倍率、
β３ｗ；無限遠合焦時の短焦点距離端における第３レンズ群の横倍率、
である。
【００１１】
第１レンズ群の第２レンズ、第１レンズ群の第３レンズ、及び第２レンズ群の像側に凹面を向けたメニスカスレンズは、少なくとも一方の面が非球面の樹脂レンズであり、次の条件式（６）を満足することが好ましい。
（６）｜ｆ１／ｆ１ｐ−ｆ２／ｆ２ｐ｜＜０．６
但し、
ｆ１；第１レンズ群の焦点距離、
ｆ１ｐ；第１レンズ群内の樹脂レンズの合成焦点距離、
ｆ２；第２レンズ群の焦点距離、
ｆ２ｐ；第２レンズ群内の樹脂レンズの焦点距離、
である。
【００１２】
更に、上記条件式（６）が規定する条件範囲の中でも、以下の条件式（６ａ）で規定される条件範囲を満足することが好ましい。
（６ａ）｜ｆ１／ｆ１ｐ−ｆ２／ｆ２ｐ｜＜０．４５
【００１３】
第３レンズ群は、少なくとも一方の面が非球面からなる１枚の樹脂製正レンズからなり、無限遠物体から近距離物体へのフォーカシングに際し、光軸上を物体側に移動することが好ましい。
【００１４】
本発明は、別の態様では、以上のズームレンズ系によって結像される撮像素子を備えた電子撮像装置である。
【００１５】
本発明のズームレンズ系は、別の態様では、物体側から順に、負の屈折力を有する第１レンズ群と、正の屈折力を有する第２レンズ群と、正の屈折力を有する第３レンズ群とからなり、短焦点距離端から長焦点距離端への変倍に際し、第１レンズ群、第２レンズ群及び第３レンズ群の全てを移動させるズームレンズ系において、第１レンズ群は、物体側から順に、負の屈折力を有する第１レンズと、負の屈折力を有する第２レンズと、正の屈折力を有する第３レンズとからなり、第２レンズ群は、物体側から順に、物体側から順に位置する正の屈折力を有する第１レンズと負の屈折力を有する第２レンズの接合レンズと、像側に凹面を向けたメニスカスレンズとからなり、次の条件式（３）及び（４）を満足することを特徴とする。
（３）０．３＜ｆ１１／ｆ１２＜１．３
（４）−０．１４＜（Ｒ１５−Ｒ１４）／（Ｒ１５＋Ｒ１４）＜０．１４
但し、
ｆ１１；第１レンズ群の第１レンズの焦点距離、
ｆ１２；第１レンズ群の第２レンズの焦点距離、
Ｒ１４；第１レンズ群の第２レンズの像側の面の曲率半径、
Ｒ１５；第１レンズ群の第３レンズの物体側の面の曲率半径、
である。
【００１６】
更に、上記条件式（４）が規定する条件範囲の中でも、以下の条件式（４ａ）で規定される条件範囲を満足することが好ましい。
（４ａ）−０．１４＜（Ｒ１５−Ｒ１４）／（Ｒ１５＋Ｒ１４）＜０．１０
【発明の効果】
【００１７】
本発明によれば、負レンズ先行型の３群ズームレンズ系であって、変倍比４．０倍程度を実現しながら、小型で低価格なズームレンズ系を得ることができる。
【図面の簡単な説明】
【００１８】
【図１】本発明によるズームレンズ系の実施例１のレンズ構成図である。
【図２】図１の構成の短焦点距離端における無限遠物体合焦時の諸収差図である。
【図３】図１の構成の中間焦点距離における無限遠物体合焦時の諸収差図である。
【図４】図１の構成の長焦点距離端における無限遠物体合焦時の諸収差図である。
【図５】本発明によるズームレンズ系の実施例２のレンズ構成図である。
【図６】図５の構成の短焦点距離端における無限遠物体合焦時の諸収差図である。
【図７】図５の構成の中間焦点距離における無限遠物体合焦時の諸収差図である。
【図８】図５の構成の長焦点距離端における無限遠物体合焦時の諸収差図である。
【図９】本発明によるズームレンズ系の実施例３のレンズ構成図である。
【図１０】図９の構成の短焦点距離端における無限遠物体合焦時の諸収差図である。
【図１１】図９の構成の中間焦点距離における無限遠物体合焦時の諸収差図である。
【図１２】図９の構成の長焦点距離端における無限遠物体合焦時の諸収差図である。
【図１３】本発明によるズームレンズ系の実施例４のレンズ構成図である。
【図１４】図１３の構成の短焦点距離端における無限遠物体合焦時の諸収差図である。
【図１５】図１３の構成の中間焦点距離における無限遠物体合焦時の諸収差図である。
【図１６】図１３の構成の長焦点距離端における無限遠物体合焦時の諸収差図である。
【図１７】本発明によるズームレンズ系の実施例５のレンズ構成図である。
【図１８】図１７の構成の短焦点距離端における無限遠物体合焦時の諸収差図である。
【図１９】図１７の構成の中間焦点距離における無限遠物体合焦時の諸収差図である。
【図２０】図１７の構成の長焦点距離端における無限遠物体合焦時の諸収差図である。
【図２１】本発明によるズームレンズ系の実施例６のレンズ構成図である。
【図２２】図２１の構成の短焦点距離端における無限遠物体合焦時の諸収差図である。
【図２３】図２１の構成の中間焦点距離における無限遠物体合焦時の諸収差図である。
【図２４】図２１の構成の長焦点距離端における無限遠物体合焦時の諸収差図である。
【図２５】本発明によるズームレンズ系の実施例７のレンズ構成図である。
【図２６】図２５の構成の短焦点距離端における無限遠物体合焦時の諸収差図である。
【図２７】図２５の構成の中間焦点距離における無限遠物体合焦時の諸収差図である。
【図２８】図２５の構成の長焦点距離端における無限遠物体合焦時の諸収差図である。
【図２９】本発明によるズームレンズ系の実施例８のレンズ構成図である。
【図３０】図２９の構成の短焦点距離端における無限遠物体合焦時の諸収差図である。
【図３１】図２９の構成の中間焦点距離における無限遠物体合焦時の諸収差図である。
【図３２】図２９の構成の長焦点距離端における無限遠物体合焦時の諸収差図である。
【図３３】本発明によるズームレンズ系の実施例９のレンズ構成図である。
【図３４】図３３の構成の短焦点距離端における無限遠物体合焦時の諸収差図である。
【図３５】図３３の構成の中間焦点距離における無限遠物体合焦時の諸収差図である。
【図３６】図３３の構成の長焦点距離端における無限遠物体合焦時の諸収差図である。
【図３７】本発明によるズームレンズ系の実施例１０のレンズ構成図である。
【図３８】図３７の構成の短焦点距離端における無限遠物体合焦時の諸収差図である。
【図３９】図３７の構成の中間焦点距離における無限遠物体合焦時の諸収差図である。
【図４０】図３７の構成の長焦点距離端における無限遠物体合焦時の諸収差図である。
【図４１】本発明によるズームレンズ系の実施例１１のレンズ構成図である。
【図４２】図４１の構成の短焦点距離端における無限遠物体合焦時の諸収差図である。
【図４３】図４１の構成の中間焦点距離における無限遠物体合焦時の諸収差図である。
【図４４】図４１の構成の長焦点距離端における無限遠物体合焦時の諸収差図である。
【図４５】本発明によるズームレンズ系の実施例１２のレンズ構成図である。
【図４６】図４５の構成の短焦点距離端における無限遠物体合焦時の諸収差図である。
【図４７】図４５の構成の中間焦点距離における無限遠物体合焦時の諸収差図である。
【図４８】図４５の構成の長焦点距離端における無限遠物体合焦時の諸収差図である。
【図４９】本発明によるズームレンズ系のズーム軌跡を示す簡易移動図である。
【発明を実施するための形態】
【００１９】
本実施の形態のズームレンズ系は、図４９の簡易移動図に示すように、物体側から順に、負の屈折力を有する第１レンズ群１０と、絞りＳと、正の屈折力を有する第２レンズ群２０と、正の屈折力を有する第３レンズ群３０とからなる。Ｉは像面である。撮像素子の前方には、図示しない２つの光学フィルタ（例えば、カバーガラス）が配置されている。無限遠物体から近距離物体へのフォーカシングは、第３レンズ群３０を光軸上で物体側に移動させて行う。
【００２０】
短焦点距離端（Ｗｉｄｅ）から長焦点距離端（Ｔｅｌｅ）への変倍（ズーミング）に際し、負の第１レンズ群１０、正の第２レンズ群２０及び正の第３レンズ群３０の全てが移動する。より具体的には、短焦点距離端から長焦点距離端への変倍に際し、第１レンズ群１０は一旦像側に移動してから物体側に移動し、第２レンズ群２０は単調に物体側に移動し、第３レンズ群３０は単調に像側に移動する。第１レンズ群１０と第２レンズ群２０の間に位置する絞りＳ（固定絞り）は、第２レンズ群２０と一緒に移動する。
【００２１】
図１（実施例１）、図５（実施例２）、図９（実施例３）、図１３（実施例４）、図１７（実施例５）、図２１（実施例６）、図２５（実施例７）、図２９（実施例８）、図３３（実施例９）、図３７（実施例１０）、図４１（実施例１１）及び図４５（実施例１２）の各実施例に示すように、負の屈折力を有する第１レンズ群１０は、物体側から順に、負の屈折力を有する第１レンズ１１と、負の屈折力を有する第２レンズ１２と、正の屈折力を有する第３レンズ１３とからなる。
正の屈折力を有する第２レンズ群２０は、物体側から順に、物体側から順に位置する正の屈折力を有する第１レンズ２１と負の屈折力を有する第２レンズ２２の接合レンズ２３と、像側に凹面を向けたメニスカスレンズ２４とからなる。弱いパワーのメニスカスレンズ２４は、正負のいずれのパワーも取りうる。
正の屈折力を有する第３レンズ群３０は、１枚の正レンズ３１からなる。
全ての実施例１−１２において、第１レンズ群１０の第２レンズ１２、第２レンズ群２０の像側に凹面を向けたメニスカスレンズ２４、及び第３レンズ群の正レンズ３１は、その両面が非球面の樹脂レンズである。また、実施例２と９を除く実施例において、第１レンズ群の第３レンズ１３は、その両面が非球面の樹脂レンズである。
【００２２】
条件式（１）は、第２レンズ群２０の第１レンズ２１と第２レンズ２２の接合レンズ２３の合成焦点距離ｆ２３と、第２レンズ群２０の像側に凹面を向けたメニスカスレンズ２４の焦点距離ｆ２４との比ｆ２３／ｆ２４に関する条件式であり、レンズ全長が長くなることを抑えながら高変倍を実現するための条件である。
条件式（１）の下限を超えると、球面収差の補正が困難になる。
条件式（１）の上限を超えると、第２レンズ群２０の主点が像側に近づくため、レンズ全長が長くなる。または第1レンズ群１０のパワーが大きくなり像面湾曲、非点収差の補正が困難になる。
【００２３】
条件式（２）は、第３レンズ群３０の焦点距離ｆ３と、長焦点距離端における全系の焦点距離ｆｔとの比ｆ３／ｆｔに関する条件式であり、レンズ全長が長くなることを抑えながらテレセントリック性を向上するための条件である。
条件式（２）の下限を超えると、像面湾曲、非点収差の補正が困難となる。
条件式（２）の上限を超えると、テレセントリック性が悪化する。
【００２４】
条件式（３）は、第１レンズ群１０の第１レンズ１１の焦点距離ｆ１１と、第１レンズ群１０の第２レンズ１２の焦点距離ｆ１２との比ｆ１１／ｆ１２に関する条件式であり、第１レンズ群１０を大型化せずに諸収差を良好に補正し、また第１レンズ群１０の負のパワーを第１レンズ１１と第２レンズ１２に適切に配分するための条件である。
条件式（３）の下限を超えると、第1レンズ群１０の第1レンズ１１の光軸上と外径周辺の厚みの差が大きくなり、第1レンズ群１０の厚みが大きくなる。
条件式（３）の上限を超えると、第１レンズ１１のパワーが不足するので、このパワー不足を補うために第１レンズ１１を大口径化する必要が生じる。
【００２５】
条件式（４）は、第１レンズ群１０の第２レンズ１２の像側の面と第３レンズ１３の物体側の面とで形成される空気レンズのシェーピングファクターに関する条件式であり、第１レンズ群１０を大型化せずに諸収差を良好に補正し、また第１レンズ群１０の第２レンズ１２と第３レンズ１３の間の空気レンズ形状を規定するための条件である。
条件式（４）の下限を超えると、第1レンズ群第２レンズ１２と第３レンズ１３の外径周辺の空気間隔が大きくなり、第1レンズ群１０の厚みが大きくなる。
条件式（４）の上限を超えると、非点収差の補正が困難になる。
【００２６】
条件式（５）は、第３レンズ群３０を１枚の正レンズから構成したとき、該第３レンズ３０の無限遠合焦時の長焦点距離端における横倍率β３ｔと、無限遠合焦時の短焦点距離端における横倍率β３ｗとの比β３ｔ／β３ｗに関する条件式であり、高変倍でありながらレンズ全長が長くなることを抑えるための条件である。
条件式（５）の下限を超えると、第１レンズ群１０と第２レンズ群２０への変倍の負担が大きくなるのでレンズが大型化する。または第１レンズ群１０と第２レンズ群２０のパワーが増えることにより像面湾曲、非点収差の補正が困難になる。
条件式（５）の上限を超えると、第３レンズ群３０の変倍の負担が大きくなるので、第３レンズ群３０の移動量が増えることによりバックフォーカスの確保が困難となる。または第３レンズ群３０のパワーが増えることにより、第３レンズ群３０によって近距離物体にフォーカシングしたとき像面湾曲の変化が大きくなる。
【００２７】
条件式（６）は、第１レンズ群１０の第２レンズ１２、第１レンズ群１０の第３レンズ１３、及び第２レンズ群２０の像側に凹面を向けたメニスカスレンズ２４を少なくとも一方の面が非球面の樹脂レンズから構成したとき、第１レンズ群１０の焦点距離ｆ１と第１レンズ群１０内の樹脂レンズ（第２レンズ１２と第３レンズ１３）の合成焦点距離ｆ１ｐとの比ｆ１／ｆ１ｐと、第２レンズ群２０の焦点距離ｆ２と第２レンズ群２０内の樹脂レンズ（像側に凹面を向けたメニスカスレンズ２４）の焦点距離ｆ２ｐとの比ｆ２／ｆ２ｐとの差に関する条件式である。
条件式（６）を満たすことにより、第１レンズ群１０と第２レンズ群２０内の非球面レンズを樹脂化した場合の温度変化によるフォーカスずれを抑えることができ、また第１レンズ群１０と第２レンズ群２０内の樹脂レンズのパワーを抑えることができる。
【００２８】
次に具体的な実施例を示す。以下の実施例はいずれも、デジタルカメラ用である。諸収差図及び表中において、球面収差で表される色収差図（軸上色収差図）及び倍率色収差図中のｄ線、ｇ線、Ｃ線はそれぞれの波長に対する収差、Ｓはサジタル、Ｍはメリディオナル、FNO.はＦナンバー、ｆは全系の焦点距離、Ｗは半画角（°）、ｆＢはバックフォーカス（最も像側のフィルタの像側の面から撮像面までの距離）、Ｌはレンズ全長、ｒは曲率半径、ｄはレンズ厚またはレンズ間隔、Ｎｄはｄ線の屈折率、νはアッベ数をそれぞれ示す。FNO.、ｆ、Ｗ、ｆＢ、Ｌ及び変倍に伴って間隔が変化するレンズ間隔ｄは、短焦点距離端−中間焦点距離−長焦点距離端の順に示している。
回転対称非球面は次式で定義される。
x=cy2/[1+[1-(1+K)c2y2]1/2]+A4y4+A6y6+A8y8 +A10y10+A12y12・・・
（但し、cは曲率（１／ｒ）、ｙは光軸からの高さ、Ｋは円錐係数、Ａ４、Ａ６、Ａ８、・・・・・は各次数の非球面係数）
【００２９】
［数値実施例１］
図１〜図４と表１〜表４は、本発明によるズームレンズ系の実施例１を示している。図１はレンズ構成図、図２は短焦点距離端における無限遠物体合焦時の諸収差図、図３は中間焦点距離における無限遠物体合焦時の諸収差図、図４は長焦点距離端における無限遠物体合焦時の諸収差図である。表１はズームレンズ系の面データ、表２は非球面データ、表３は各種データ、表４はズームレンズ系群データである。
【００３０】
本実施例のズームレンズ系は、物体側から順に、負の屈折力を有する第１レンズ群１０と、正の屈折力を有する第２レンズ群２０と、正の屈折力を有する第３レンズ群３０とからなる。第３レンズ群３０の後方（像面Ｉとの間）には、２枚の光学フィルタＯＰ１、ＯＰ２が配置されている。
【００３１】
第１レンズ群１０は、物体側から順に、物体側に凸の負メニスカスレンズ１１と、物体側に凸の負メニスカスレンズ１２と、物体側に凸の正メニスカスレンズ１３とからなる。負メニスカスレンズ１２と正メニスカスレンズ１３は、その両面が非球面の樹脂レンズである。
第２レンズ群２０は、物体側から順に、物体側から順に位置する両凸正レンズ２１と両凹負レンズ２２の接合レンズ２３と、像側に凹面を向けた正メニスカスレンズ２４とからなる。正メニスカスレンズ２４は、その両面が非球面の樹脂レンズである。
第３レンズ群３０は、１枚の両凸正レンズ３１であり、その両面が非球面の樹脂レンズである（全実施例で、非球面レンズは樹脂製レンズである）。
絞りＳは、第７面（第２レンズ群２０）に接する位置にある。
（表１）
面データ
面番号          r          d            Nd          ν
1          48.000      0.700       1.71300        53.9
2           6.474      1.958
3*         13.733      1.000       1.54358        55.7
4*          6.240      0.200
5*          7.017      2.100       1.60641        27.2
6*         27.206         d6
7           4.760      2.000       1.88300        40.8
8          -7.461      0.500       1.76182        26.6
9           4.803      0.550
10*         4.556      1.100       1.54358        55.7
11*         4.866        d11
12*        25.454      1.800       1.54358        55.7
13*       -14.566        d13
14             ∞      0.350       1.51633        64.1
15             ∞      0.510
16             ∞      0.500       1.51633        64.1
17             ∞          -
＊は回転対称非球面である。
（表２）
非球面データ（表示していない非球面係数は0.00である）
面番号   K         A4            A6            A8           A10
3    0.000  -0.7710×10-3   0.2171×10-4  -0.3441×10-6  -0.2859×10-8
4    0.000  -0.1289×10-2   0.1633×10-4  -0.1413×10-5
5    0.000  -0.2118×10-3  -0.7521×10-5  -0.4613×10-6
6    0.000  -0.1931×10-3   0.2654×10-5
10   0.000  -0.3265×10-2  -0.3366×10-3  -0.6428×10-4   0.1456×10-5
11   0.000   0.1016×10-2  -0.1369×10-3  -0.9476×10-4   0.1000×10-4
12   0.000   0.5690×10-3  -0.2479×10-4   0.9607×10-6
13   0.000   0.9701×10-3  -0.4473×10-4   0.1381×10-5
（表３）
各種データ
変倍比（ズーム比）     3.88
短焦点距離端          中間焦点距離          長焦点距離端
FNO.             2.6                   3.7                   6.0
f              5.00                  9.62                 19.42
W              39.8                  22.9                  11.6
fB             0.59                  0.59                  0.59
L             36.03                 32.37                 37.09
d6           14.425                 5.691                 0.895
d11           3.296                 8.843                19.313
d13           3.053                 2.576                 1.624
（表４）
ズームレンズ系群データ
群          始面          焦点距離
1              1            -13.31
2              7             10.15
3             12             17.32
【００３２】
［数値実施例２］
図５〜図８と表５〜表８は、本発明によるズームレンズ系の実施例２を示している。図５はレンズ構成図、図６は短焦点距離端における無限遠物体合焦時の諸収差図、図７は中間焦点距離における無限遠物体合焦時の諸収差図、図８は長焦点距離端における無限遠物体合焦時の諸収差図である。表５はズームレンズ系の面データ、表６は非球面データ、表７は各種データ、表８はズームレンズ系群データである。
【００３３】
この実施例２の基本的なレンズ構成は、正メニスカスレンズ１３が非球面樹脂レンズではない点を除き、実施例１と同様である。絞りＳは、第７面（第２レンズ群２０）に接する位置にある。
（表５）
面データ
面番号          r          d            Nd          ν
1          48.000      0.700       1.72000        50.3
2           6.483      2.133
3*         13.103      1.000       1.54358        55.7
4*         10.708      0.200
5          10.854      1.500       1.94595        18.0
6          16.478         d6
7           4.748      1.800       1.88300        40.8
8          -7.911      0.600       1.76182        26.6
9           4.700      0.550
10*         4.339      1.100       1.54358        55.7
11*         4.794        d11
12*        28.719      1.800       1.54358        55.7
13*       -13.690        d13
14             ∞      0.350       1.51633        64.1
15             ∞      0.510
16             ∞      0.500       1.51633        64.1
17             ∞       -
＊は回転対称非球面である。
（表６）
非球面データ（表示していない非球面係数は0.00である）
面番号   K         A4            A6            A8           A10
3    0.000  -0.7710×10-3   0.2171×10-4  -0.3441×10-6  -0.2859×10-8
4    0.000  -0.1076×10-2   0.2597×10-4  -0.6720×10-6
10   0.000  -0.2769×10-2  -0.2695×10-3  -0.7599×10-4   0.1750×10-5
11   0.000   0.1583×10-2  -0.5542×10-4  -0.1187×10-3   0.1074×10-4
12   0.000   0.4704×10-3  -0.2924×10-4   0.7774×10-6
13   0.000   0.8178×10-3  -0.4361×10-4   0.1022×10-5
（表７）
各種データ
変倍比（ズーム比）     3.88
短焦点距離端          中間焦点距離          長焦点距離端
FNO.             2.7                   3.8                   6.0
f              5.00                  9.62                 19.42
W              39.7                  22.9                  11.6
fB             0.59                  0.59                  0.59
L             36.04                 31.73                 35.70
d6           15.185                 5.994                 0.956
d11           2.926                 8.326                18.406
d13           3.196                 2.673                 1.606
（表８）
ズームレンズ系群データ
群          始面          焦点距離
1              1            -14.12
2              7             10.19
3             12             17.31
【００３４】
［数値実施例３］
図９〜図１２と表９〜表１２は、本発明によるズームレンズ系の実施例３を示している。図９はレンズ構成図、図１０は短焦点距離端における無限遠物体合焦時の諸収差図、図１１は中間焦点距離における無限遠物体合焦時の諸収差図、図１２は長焦点距離端における無限遠物体合焦時の諸収差図である。表９はズームレンズ系の面データ、表１０は非球面データ、表１１は各種データ、表１２はズームレンズ系群データである。
【００３５】
この実施例３の基本的なレンズ構成は実施例１と同様であり、表９〜表１２に示す数値データのみが異なる。絞りＳは、第７面（第２レンズ群２０）に接する位置にある。
（表９）
面データ
面番号          r          d            Nd          ν
1          54.766      0.700       1.71300        53.9
2           7.590      1.586
3*         15.575      1.000       1.54358        55.7
4*          5.873      0.514
5*          6.225      2.100       1.60641        27.2
6*         17.212         d6
7           4.732      2.000       1.88300        40.8
8          -7.320      0.500       1.76182        26.6
9           4.754      0.550
10*         4.551      1.100       1.54358        55.7
11*         4.860        d11
12*        21.432      1.800       1.54358        55.7
13*       -15.612        d13
14             ∞      0.350       1.51633        64.1
15             ∞      0.510
16             ∞      0.500       1.51633        64.1
17             ∞          -
＊は回転対称非球面である。
（表１０）
非球面データ（表示していない非球面係数は0.00である）
面番号   K         A4            A6            A8           A10
3    0.000  -0.9948×10-4   0.1423×10-4  -0.5036×10-6   0.4426×10-8
4    0.000  -0.7445×10-3   0.2971×10-4  -0.1599×10-5
5    0.000  -0.5205×10-3   0.7716×10-5  -0.7044×10-6
6    0.000  -0.1796×10-3  -0.1107×10-5
10   0.000  -0.3472×10-2  -0.3413×10-3  -0.6872×10-4   0.1160×10-5
11   0.000   0.7712×10-3  -0.1059×10-3  -0.1065×10-3   0.1082×10-4
12   0.000   0.5751×10-3  -0.2896×10-4   0.9558×10-6
13   0.000   0.9516×10-3  -0.4898×10-4   0.1354×10-5
（表１１）
各種データ
変倍比（ズーム比）     3.88
短焦点距離端          中間焦点距離          長焦点距離端
FNO.             2.6                   3.7                   6.0
f              5.00                  9.62                 19.42
W              39.8                  22.9                  11.6
fB             0.59                  0.59                  0.59
L             36.04                 31.96                 36.51
d6           14.737                 5.722                 0.949
d11           3.119                 8.385                18.758
d13           2.980                 2.652                 1.601
（表１２）
ズームレンズ系群データ
群          始面          焦点距離
1              1            -13.75
2              7             10.11
3             12             16.91
【００３６】
［数値実施例４］
図１３〜図１６と表１３〜表１６は、本発明によるズームレンズ系の実施例４を示している。図１３はレンズ構成図、図１４は短焦点距離端における無限遠物体合焦時の諸収差図、図１５は中間焦点距離における無限遠物体合焦時の諸収差図、図１６は長焦点距離端における無限遠物体合焦時の諸収差図である。表１３はズームレンズ系の面データ、表１４は非球面データ、表１５は各種データ、表１６はズームレンズ系群データである。
【００３７】
この実施例４の基本的なレンズ構成は実施例１と同様であり、表１３〜表１６に示す数値データのみが異なる。絞りＳは、第７面（第２レンズ群２０）に接する位置にある。
（表１３）
面データ
面番号          r          d            Nd          ν
1          68.030      0.700       1.69680        55.5
2          10.108      1.247
3*         22.833      1.000       1.54358        55.7
4*          5.719      0.853
5*          5.926      2.100       1.60641        27.2
6*         13.283         d6
7           4.766      2.000       1.88300        40.8
8          -7.426      0.500       1.76182        26.6
9           4.790      0.550
10*         4.586      1.100       1.54358        55.7
11*         4.908        d11
12*        19.160      1.800       1.54358        55.7
13*       -17.349        d13
14             ∞      0.350       1.51633        64.1
15             ∞      0.510
16             ∞      0.500       1.51633        64.1
17             ∞          -
＊は回転対称非球面である。
（表１４）
非球面データ（表示していない非球面係数は0.00である）
面番号   K         A4            A6            A8           A10
3    0.000   0.3855×10-3   0.4537×10-5  -0.3887×10-6   0.4282×10-8
4    0.000  -0.6457×10-3   0.5670×10-4  -0.2031×10-5
5    0.000  -0.1039×10-2   0.2796×10-4  -0.1046×10-5
6    0.000  -0.3049×10-3  -0.1155×10-5
10   0.000  -0.3215×10-2  -0.3050×10-3  -0.7334×10-4   0.2029×10-5
11   0.000   0.9505×10-3  -0.9294×10-4  -0.1018×10-3   0.1002×10-4
12   0.000   0.5741×10-3  -0.2488×10-4   0.1098×10-5
13   0.000   0.9255×10-3  -0.4512×10-4   0.1552×10-5
（表１５）
各種データ
変倍比（ズーム比）     3.88
短焦点距離端          中間焦点距離          長焦点距離端
FNO.             2.7                   3.7                   5.9
f              5.00                  9.62                 19.42
W              39.8                  22.9                  11.6
fB             0.59                  0.59                  0.59
L             37.04                 31.91                 35.89
d6           15.841                 6.030                 1.000
d11           3.112                 7.966                18.076
d13           2.883                 2.711                 1.610
（表１６）
ズームレンズ系群データ
群          始面          焦点距離
1              1            -14.50
2              7             10.22
3             12             17.05
【００３８】
［数値実施例５］
図１７〜図２０と表１７〜表２０は、本発明によるズームレンズ系の実施例５を示している。図１７はレンズ構成図、図１８は短焦点距離端における無限遠物体合焦時の諸収差図、図１９は中間焦点距離における無限遠物体合焦時の諸収差図、図２０は長焦点距離端における無限遠物体合焦時の諸収差図である。表１７はズームレンズ系の面データ、表１８は非球面データ、表１９は各種データ、表２０はズームレンズ系群データである。
【００３９】
この実施例５の基本的なレンズ構成は実施例１と同様であり、表１７〜表２０に示す数値データのみが異なる。絞りＳは、第７面（第２レンズ群２０）に接する位置にある。
（表１７）
面データ
面番号          r          d            Nd          ν
1          38.097      0.700       1.71300        53.9
2           6.308      1.686
3*         11.905      0.900       1.54358        55.7
4*          6.168      0.414
5*          6.919      2.200       1.60641        27.2
6*         21.635         d6
7           4.823      2.000       1.88300        40.8
8          -7.571      0.500       1.76182        26.6
9           4.962      0.550
10*         4.472      1.100       1.54358        55.7
11*         4.612        d11
12*        23.130      1.800       1.54358        55.7
13*       -15.213        d13
14             ∞      0.350       1.51633        64.1
15             ∞      0.510
16             ∞      0.500       1.51633        64.1
17             ∞          -
＊は回転対称非球面である。
（表１８）
非球面データ（表示していない非球面係数は0.00である）
面番号   K         A4            A6            A8           A10
3    0.000  -0.3106×10-3   0.2220×10-4  -0.6500×10-6   0.2771×10-8
4    0.000  -0.1331×10-2   0.3417×10-4  -0.1472×10-5
5    0.000  -0.7254×10-3   0.4135×10-5  -0.3974×10-6
6    0.000  -0.2969×10-3  -0.5746×10-5
10   0.000  -0.2886×10-2  -0.3329×10-3  -0.5819×10-4   0.1040×10-5
11   0.000   0.1352×10-2  -0.1541×10-3  -0.8629×10-4   0.8181×10-5
12   0.000   0.5950×10-3  -0.2604×10-4   0.7132×10-6
13   0.000   0.1002×10-2  -0.4480×10-4   0.1043×10-5
（表１９）
各種データ
変倍比（ズーム比）     3.88
短焦点距離端          中間焦点距離          長焦点距離端
FNO.             2.7                   3.7                   5.9
f              5.00                  9.62                 19.42
W              38.7                  22.7                  11.5
fB             0.59                  0.59                  0.59
L             36.54                 32.23                 36.71
d6           15.069                 5.813                 0.816
d11           3.250                 8.539                18.882
d13           3.016                 2.675                 1.811
（表２０）
ズームレンズ系群データ
群          始面          焦点距離
1              1            -13.84
2              7             10.26
3             12             17.17
【００４０】
［数値実施例６］
図２１〜図２４と表２１〜表２４は、本発明によるズームレンズ系の実施例６を示している。図２１はレンズ構成図、図２２は短焦点距離端における無限遠物体合焦時の諸収差図、図２３は中間焦点距離における無限遠物体合焦時の諸収差図、図２４は長焦点距離端における無限遠物体合焦時の諸収差図である。表２１はズームレンズ系の面データ、表２２は非球面データ、表２３は各種データ、表２４はズームレンズ系群データである。
【００４１】
この実施例６の基本的なレンズ構成は実施例１と同様であり、表２１〜表２４に示す数値データのみが異なる。絞りＳは、第７面（第２レンズ群２０）に接する位置にある。
（表２１）
面データ
面番号          r          d            Nd          ν
1          63.734      0.700       1.64000        60.2
2           9.260      0.953
3*         16.000      0.900       1.54358        55.7
4*          5.982      1.147
5*          6.380      2.200       1.60641        27.2
6*         11.603         d6
7           4.771      2.000       1.88300        40.8
8          -7.508      0.500       1.74077        27.8
9           4.174      0.218
10*         4.126      1.100       1.54358        55.7
11*         5.030        d11
12*        19.891      1.800       1.54358        55.7
13*       -14.999        d13
14             ∞      0.350       1.51633        64.1
15             ∞      0.510
16             ∞      0.500       1.51633        64.1
17             ∞          -
＊は回転対称非球面である。
（表２２）
非球面データ（表示していない非球面係数は0.00である）
面番号   K         A4            A6            A8           A10
3    0.000   0.1006×10-2  -0.2516×10-4   0.3418×10-6  -0.3173×10-8
4    0.000   0.3805×10-3   0.3170×10-4  -0.1575×10-5
5    0.000  -0.9179×10-3   0.4467×10-4  -0.1329×10-5   0.1286×10-8
6    0.000  -0.6248×10-3   0.2167×10-4  -0.6199×10-6
10   0.000  -0.2206×10-2  -0.2499×10-3  -0.7006×10-4   0.1612×10-6
11   0.000   0.2396×10-2  -0.6754×10-6  -0.9791×10-4   0.7753×10-5
12   0.000   0.4901×10-3  -0.2937×10-4   0.1214×10-5
13   0.000   0.9244×10-3  -0.4765×10-4   0.1605×10-5
（表２３）
各種データ
変倍比（ズーム比）     3.88
短焦点距離端          中間焦点距離          長焦点距離端
FNO.             2.7                   3.7                   5.9
f              5.00                  9.62                 19.42
W              38.7                  22.6                  11.4
fB             0.59                  0.59                  0.59
L             36.54                 31.98                 36.14
d6           15.481                 6.085                 1.000
d11           3.249                 8.415                18.454
d13           2.941                 2.610                 1.813
（表２４）
ズームレンズ系群データ
群          始面          焦点距離
1              1            -14.54
2              7             10.22
3             12             16.02
【００４２】
［数値実施例７］
図２５〜図２８と表２５〜表２８は、本発明によるズームレンズ系の実施例７を示している。図２５はレンズ構成図、図２６は短焦点距離端における無限遠物体合焦時の諸収差図、図２７は中間焦点距離における無限遠物体合焦時の諸収差図、図２８は長焦点距離端における無限遠物体合焦時の諸収差図である。表２５はズームレンズ系の面データ、表２６は非球面データ、表２７は各種データ、表２８はズームレンズ系群データである。
【００４３】
この実施例７の基本的なレンズ構成は、第２レンズ群２０の像側に凹面を向けたメニスカスレンズ２４が負のパワーを持っている点を除き、実施例１と同様である。絞りＳは、第７面（第２レンズ群２０）に接する位置にある。
（表２５）
面データ
面番号          r          d            Nd          ν
1          37.618      0.700       1.61800        63.4
2           5.563      1.804
3*         12.000      1.000       1.54358        55.7
4*          8.016      0.388
5*          7.295      2.000       1.60641        27.2
6*         13.624         d6
7           5.103      1.900       1.88300        40.8
8         -10.734      0.500       1.84666        23.8
9          15.048      0.400
10*       200.000      0.900       1.60641        27.2
11*        11.145        d11
12*        49.550      1.800       1.54358        55.7
13*       -15.075        d13
14             ∞      0.350       1.51633        64.1
15             ∞      0.510
16             ∞      0.500       1.51633        64.1
17             ∞          -
＊は回転対称非球面である。
（表２６）
非球面データ（表示していない非球面係数は0.00である）
面番号   K         A4            A6            A8
3    0.000   0.1948×10-2  -0.6276×10-4   0.7502×10-6
4    0.000   0.1680×10-2  -0.2414×10-4  -0.1921×10-5
5    0.000  -0.7892×10-3   0.4118×10-4  -0.1602×10-5
6    0.000  -0.9165×10-3   0.7586×10-5   0.3065×10-6
10   0.000   0.3573×10-2  -0.4299×10-4  -0.1717×10-4
11   0.000   0.7537×10-2   0.2240×10-3  -0.5621×10-5
12   0.000  -0.4639×10-4  -0.9596×10-5  -0.8985×10-6
13   0.000   0.2784×10-3  -0.2713×10-4  -0.3906×10-6
（表２７）
各種データ
変倍比（ズーム比）     3.88
短焦点距離端          中間焦点距離          長焦点距離端
FNO.             2.7                   3.7                   6.0
f              5.00                  9.62                 19.41
W              38.7                  22.8                  11.5
fB             0.59                  0.59                  0.59
L             36.54                 31.93                 36.52
d6           14.973                 5.555                 0.969
d11           3.034                 7.917                18.989
d13           3.794                 3.715                 1.823
（表２８）
ズームレンズ系群データ
群          始面          焦点距離
1              1            -13.30
2              7             10.11
3             12             21.47
【００４４】
［数値実施例８］
図２９〜図３２と表２９〜表３２は、本発明によるズームレンズ系の実施例８を示している。図２９はレンズ構成図、図３０は短焦点距離端における無限遠物体合焦時の諸収差図、図３１は中間焦点距離における無限遠物体合焦時の諸収差図、図３２は長焦点距離端における無限遠物体合焦時の諸収差図である。表２９はズームレンズ系の面データ、表３０は非球面データ、表３１は各種データ、表３２はズームレンズ系群データである。
【００４５】
この実施例８の基本的なレンズ構成は実施例１と同様であり、表２９〜表３２に示す数値データのみが異なる。絞りＳは、第７面（第２レンズ群２０）に接する位置にある。
（表２９）
面データ
面番号          r          d            Nd          ν
1          67.936      0.700       1.71300        53.9
2           6.998      1.551
3*         11.905      0.900       1.54358        55.7
4*          6.059      0.549
5*          6.963      2.200       1.60641        27.2
6*         21.709         d6
7           4.861      2.000       1.88300        40.8
8          -7.772      0.500       1.76182        26.6
9           4.920      0.550
10*         4.359      1.100       1.54358        55.7
11*         4.558        d11
12*        28.646      1.900       1.54358        55.7
13*       -13.323        d13
14             ∞      0.350       1.51633        64.1
15             ∞      0.510
16             ∞      0.500       1.51633        64.1
17             ∞          -
＊は回転対称非球面である。
（表３０）
非球面データ（表示していない非球面係数は0.00である）
面番号   K         A4            A6            A8           A10
3    0.000  -0.3106×10-3   0.2220×10-4  -0.6500×10-6   0.2771×10-8
4    0.000  -0.1223×10-2   0.4536×10-4  -0.1917×10-5
5    0.000  -0.6219×10-3   0.1581×10-4  -0.6449×10-6
6    0.000  -0.2584×10-3   0.1054×10-5
10   0.000  -0.2668×10-2  -0.3241×10-3  -0.6194×10-4   0.1882×10-5
11   0.000   0.1534×10-2  -0.1814×10-3  -0.8794×10-4   0.8495×10-5
12   0.000   0.6196×10-3  -0.1516×10-4   0.7013×10-6
13   0.000   0.1049×10-2  -0.2768×10-4   0.9258×10-6
（表３１）
各種データ
変倍比（ズーム比）     3.88
短焦点距離端          中間焦点距離          長焦点距離端
FNO.             2.6                   3.7                   5.9
f              5.00                  9.62                 19.41
W              39.9                  22.6                  11.5
fB             0.59                  0.59                  0.59
L             37.03                 32.66                 37.03
d6           15.422                 6.031                 0.919
d11           3.152                 8.588                18.981
d13           3.158                 2.744                 1.830
（表３２）
ズームレンズ系群データ
群          始面          焦点距離
1              1            -14.05
2              7             10.44
3             12             17.00
【００４６】
［数値実施例９］
図３３〜図３６と表３３〜表３６は、本発明によるズームレンズ系の実施例９を示している。図３３はレンズ構成図、図３４は短焦点距離端における無限遠物体合焦時の諸収差図、図３５は中間焦点距離における無限遠物体合焦時の諸収差図、図３６は長焦点距離端における無限遠物体合焦時の諸収差図である。表３３はズームレンズ系の面データ、表３４は非球面データ、表３５は各種データ、表３６はズームレンズ系群データである。
【００４７】
この実施例９の基本的なレンズ構成は実施例２と同様であり、表３３〜表３６に示す数値データのみが異なる。絞りＳは、第７面（第２レンズ群２０）に接する位置にある。
（表３３）
面データ
面番号          r          d            Nd          ν
1          30.044      0.700       1.72000        50.3
2           7.065      2.571
3*         27.380      1.000       1.54358        55.7
4*         12.456      0.200
5           9.467      1.500       1.94594        18.0
6          12.991         d6
7           4.719      1.800       1.88300        40.8
8          -7.863      0.600       1.76182        26.6
9           4.741      0.550
10*         4.014      1.100       1.54358        55.7
11*         4.308        d11
12*        43.104      1.800       1.54358        55.7
13*       -11.461        d13
14             ∞      0.350       1.51633        64.1
15             ∞      0.510
16             ∞      0.500       1.51633        55.7
17             ∞          -
＊は回転対称非球面である。
（表３４）
非球面データ（表示していない非球面係数は0.00である）
面番号   K         A4            A6            A8           A10
3    0.000  -0.7896×10-3   0.2251×10-4  -0.3171×10-6  -0.1611×10-8
4    0.000  -0.9238×10-3   0.2759×10-4  -0.4950×10-6
10   0.000  -0.3010×10-2  -0.3940×10-3  -0.6527×10-4   0.2043×10-7
11   0.000   0.1504×10-2  -0.9286×10-4  -0.1479×10-3   0.1371×10-4
12   0.000   0.5870×10-3  -0.2874×10-4   0.6167×10-6
13   0.000   0.1085×10-2  -0.4917×10-4   0.9812×10-6
（表３５）
各種データ
変倍比（ズーム比）     3.88
短焦点距離端          中間焦点距離          長焦点距離端
FNO.             2.7                   3.7                   5.9
f              5.00                  9.62                 19.42
W              39.9                  22.8                  11.6
fB             0.59                  0.59                  0.59
L             36.04                 31.71                 35.64
d6           14.890                 5.867                 0.995
d11           3.000                 8.107                17.929
d13           2.977                 2.563                 1.550
（表３６）
ズームレンズ系群データ
群          始面          焦点距離
1              1            -13.89
2              7              9.90
3             12             16.85
【００４８】
［数値実施例１０］
図３７〜図４０と表３７〜表４０は、本発明によるズームレンズ系の実施例１０を示している。図３７はレンズ構成図、図３８は短焦点距離端における無限遠物体合焦時の諸収差図、図３９は中間焦点距離における無限遠物体合焦時の諸収差図、図４０は長焦点距離端における無限遠物体合焦時の諸収差図である。表３７はズームレンズ系の面データ、表３８は非球面データ、表３９は各種データ、表４０はズームレンズ系群データである。
【００４９】
この実施例１０の基本的なレンズ構成は実施例１と同様であり、表３７〜表４０に示す数値データのみが異なる。絞りＳは、第７面（第２レンズ群２０）に接する位置にある。
（表３７）
面データ
面番号          r          d            Nd          ν
1          37.028      0.700       1.71300        53.9
2           6.443      1.769
3*         11.672      0.900       1.54358        55.7
4*          6.159      0.486
5*          6.721      2.200       1.60641        27.2
6*         16.211         d6
7           4.886      2.000       1.88300        40.8
8          -8.499      0.500       1.76182        26.6
9           5.019      0.711
10*         4.748      1.100       1.54358        55.7
11*         5.509        d11
12*        17.952      1.800       1.54358        55.7
13*       -36.133        d13
14             ∞      0.350       1.51633        64.1
15             ∞      0.510
16             ∞      0.500       1.51633        55.7
17             ∞          -
＊は回転対称非球面である。
（表３８）
非球面データ（表示していない非球面係数は0.00である）
面番号   K         A4            A6            A8           A10
3    0.000  -0.3745×10-3   0.2216×10-4  -0.6238×10-6   0.5114×10-8
4    0.000  -0.1287×10-2   0.3475×10-4  -0.1393×10-5
5    0.000  -0.6656×10-3   0.5393×10-5  -0.5194×10-6
6    0.000  -0.2304×10-3  -0.6080×10-5
10   0.000  -0.2577×10-2  -0.3048×10-3  -0.4118×10-4  -0.1786×10-6
11   0.000   0.1295×10-2  -0.9968×10-4  -0.7221×10-4   0.6361×10-5
12   0.000   0.6674×10-3  -0.2151×10-4   0.9254×10-6
13   0.000   0.9647×10-3  -0.3374×10-4   0.1151×10-5
（表３９）
各種データ
変倍比（ズーム比）     3.88
短焦点距離端          中間焦点距離          長焦点距離端
FNO.             2.7                   3.7                   6.0
f              5.00                  9.62                 19.42
W              39.9                  22.9                  11.5
fB             0.59                  0.59                  0.59
L             36.55                 32.22                 36.63
d6           14.875                 5.733                 0.992
d11           2.871                 8.024                18.706
d13           3.292                 2.952                 1.413
（表４０）
ズームレンズ系群データ
群          始面          焦点距離
1              1            -13.10
2              7             10.00
3             12             22.33
【００５０】
［数値実施例１１］
図４１〜図４４と表４１〜表４４は、本発明によるズームレンズ系の実施例１１を示している。図４１はレンズ構成図、図４２は短焦点距離端における無限遠物体合焦時の諸収差図、図４３は中間焦点距離における無限遠物体合焦時の諸収差図、図４４は長焦点距離端における無限遠物体合焦時の諸収差図である。表４１はズームレンズ系の面データ、表４２は非球面データ、表４３は各種データ、表４４はズームレンズ系群データである。
【００５１】
この実施例１１の基本的なレンズ構成は、第１レンズ群１０の負レンズ１１が両凹負レンズである点を除き、実施例１と同様である。絞りＳは、第７面（第２レンズ群２０）に接する位置にある。
（表４１）
面データ
面番号          r          d            Nd          ν
1        -170.949      0.700       1.64000        60.2
2          10.784      0.444
3*         13.915      0.900       1.54358        55.7
4*          6.051      1.306
5*          7.057      2.200       1.60641        27.2
6*         13.480         d6
7           4.797      2.000       1.88300        40.8
8          -7.325      0.500       1.74077        27.8
9           4.297      0.164
10*         4.149      1.100       1.54358        55.7
11*         4.788        d11
12*        23.259      1.800       1.54358        55.7
13*       -11.921        d13
14             ∞      0.350       1.51633        64.1
15             ∞      0.510
16             ∞      0.500       1.51633        55.7
17             ∞          -
＊は回転対称非球面である。
（表４２）
非球面データ（表示していない非球面係数は0.00である）
面番号   K         A4            A6            A8           A10
3    0.000   0.9963×10-3  -0.2554×10-4   0.3308×10-6  -0.3143×10-8
4    0.000   0.3428×10-3   0.2967×10-4  -0.1584×10-5
5    0.000  -0.8426×10-3   0.4634×10-4  -0.1317×10-5   0.2016×10-8
6    0.000  -0.6056×10-3   0.2143×10-4  -0.6433×10-6
10   0.000  -0.2354×10-2  -0.2696×10-3  -0.4764×10-4  -0.2013×10-5
11   0.000   0.2210×10-2   0.7862×10-4  -0.1067×10-3   0.8766×10-5
12   0.000   0.5234×10-3  -0.2642×10-4   0.1165×10-5
13   0.000   0.1135×10-2  -0.4950×10-4   0.1635×10-5
（表４３）
各種データ
変倍比（ズーム比）     3.88
短焦点距離端          中間焦点距離          長焦点距離端
FNO.             2.7                   3.7                   5.9
f              5.00                  9.62                 19.42
W              39.6                  22.5                  11.4
fB             0.59                  0.59                  0.59
L             36.52                 31.95                 36.12
d6           15.630                 6.209                 1.000
d11           3.741                 8.911                18.857
d13           2.688                 2.364                 1.796
（表４４）
ズームレンズ系群データ
群          始面          焦点距離
1              1            -14.58
2              7             10.28
3             12             14.76
【００５２】
［数値実施例１２］
図４５〜図４８と表４５〜表４８は、本発明によるズームレンズ系の実施例１２を示している。図４５はレンズ構成図、図４６は短焦点距離端における無限遠物体合焦時の諸収差図、図４７は中間焦点距離における無限遠物体合焦時の諸収差図、図４８は長焦点距離端における無限遠物体合焦時の諸収差図である。表４５はズームレンズ系の面データ、表４６は非球面データ、表４７は各種データ、表４８はズームレンズ系群データである。
【００５３】
この実施例１２の基本的なレンズ構成は、第２レンズ群２０の像側に凹面を向けたメニスカスレンズ２４が負のパワーを持っている点を除き、実施例１と同様である。絞りＳは、第７面（第２レンズ群２０）に接する位置にある。
（表４５）
面データ
面番号          r          d            Nd          ν
1          29.371      0.700       1.61800        63.4
2           5.852      1.800
3*         12.000      1.000       1.54358        55.7
4*          7.453      0.460
5*          6.077      2.000       1.60641        27.2
6*          8.929         d6
7           5.359      1.900       1.88300        40.8
8          -9.497      0.500       1.84666        23.8
9          22.152      0.400
10*       200.000      0.900       1.60641        27.2
11*        10.633        d11
12*        49.550      1.800       1.54358        55.7
13*       -14.133        d13
14             ∞      0.350       1.51633        64.1
15             ∞      0.510
16             ∞      0.500       1.51633        55.7
17             ∞          -
＊は回転対称非球面である。
（表４６）
非球面データ（表示していない非球面係数は0.00である）
面番号   K         A4            A6            A8
3    0.000   0.1316×10-2  -0.3179×10-4   0.3822×10-6
4    0.000   0.1163×10-2   0.4664×10-5  -0.9154×10-6
5    0.000  -0.8606×10-3   0.3269×10-4  -0.1394×10-5
6    0.000  -0.9417×10-3   0.6230×10-5  -0.4551×10-6
10   0.000   0.3269×10-2  -0.3587×10-4  -0.1852×10-4
11   0.000   0.6755×10-2   0.2505×10-3  -0.1878×10-4
12   0.000   0.5430×10-4  -0.1411×10-4  -0.6304×10-6
13   0.000   0.3553×10-3  -0.3169×10-4  -0.1580×10-6
（表４７）
各種データ
変倍比（ズーム比）     3.88
短焦点距離端          中間焦点距離          長焦点距離端
FNO.             2.7                   3.6                   5.8
f              5.00                  9.62                 19.41
W              40.1                  23.0                  11.6
fB             0.59                  0.59                  0.59
L             36.57                 31.95                 36.50
d6           14.821                 5.621                 1.072
d11           3.911                 8.410                18.818
d13           3.023                 3.112                 1.800
（表４８）
ズームレンズ系群データ
群          始面          焦点距離
1              1            -12.90
2              7              9.74
3             12             20.43
【００５４】
各実施例の各条件式に対する値を表４９に示す。
（表４９）
実施例１  実施例２  実施例３  実施例４  実施例５  実施例６
条件式（１）   0.214     0.289     0.213     0.215     0.172     0.498
条件式（２）   0.892     0.891     0.870     0.878     0.884     0.825
条件式（３）   0.479     0.083     0.691     1.195     0.429     0.937
条件式（４）   0.059     0.007     0.029     0.018     0.057     0.032
条件式（５）   1.117     1.132     1.117     1.107     1.100     1.103
条件式（６）   0.426         -     0.296     0.054     0.429     0.240
実施例７  実施例８  実施例９  実施例10  実施例11  実施例12
条件式（１）  -0.388     0.206     0.272     0.306     0.396    -0.391
条件式（２）   1.106     0.876     0.868     1.150     0.760     1.053
条件式（３）   0.219     0.458     0.302     0.434     0.771     0.305
条件式（４）  -0.047     0.069    -0.136     0.044     0.077    -0.102
条件式（５）   1.125     1.113     1.120     1.113     1.089     1.079
条件式（６）   0.244     0.434         -     0.444     0.236     0.371
【００５５】
表４９から明らかなように、実施例６を除く全ての実施例１−１２は、条件式（１）と（２）の双方を満足している。実施例２、９は他の実施例とレンズ構成が異なるため、条件式（６）の値を計算していない。また、諸収差図から明らかなように諸収差は比較的よく補正されている。
【符号の説明】
【００５６】
１０  負の屈折力を有する第１レンズ群
１１  負の屈折力を有する第１レンズ
１２  負の屈折力を有する第２レンズ
１３  正の屈折力を有する第３レンズ
２０  正の屈折力を有する第２レンズ群
２３  正の屈折力を有する第１レンズと負の屈折力を有する第２レンズの接合レンズ
２４  像側に凹面を向けたメニスカスレンズ
３０  正の屈折力を有する第３レンズ群
３１  正レンズ
Ｓ  絞り
ＯＰ１、ＯＰ２  光学フィルタ
Ｉ  像面
【図１】
2010152316.tif 000003
【図２】
2010152316.tif 000004
【図３】
2010152316.tif 000005
【図４】
2010152316.tif 000006
【図５】
2010152316.tif 000007
【図６】
2010152316.tif 000008
【図７】
2010152316.tif 000009
【図８】
2010152316.tif 000010
【図９】
2010152316.tif 000011
【図１０】
2010152316.tif 000012
【図１１】
2010152316.tif 000013
【図１２】
2010152316.tif 000014
【図１３】
2010152316.tif 000015
【図１４】
2010152316.tif 000016
【図１５】
2010152316.tif 000017
【図１６】
2010152316.tif 000018
【図１７】
2010152316.tif 000019
【図１８】
2010152316.tif 000020
【図１９】
2010152316.tif 000021
【図２０】
2010152316.tif 000022
【図２１】
2010152316.tif 000023
【図２２】
2010152316.tif 000024
【図２３】
2010152316.tif 000025
【図２４】
2010152316.tif 000026
【図２５】
2010152316.tif 000027
【図２６】
2010152316.tif 000028
【図２７】
2010152316.tif 000029
【図２８】
2010152316.tif 000030
【図２９】
2010152316.tif 000031
【図３０】
2010152316.tif 000032
【図３１】
2010152316.tif 000033
【図３２】
2010152316.tif 000034
【図３３】
2010152316.tif 000035
【図３４】
2010152316.tif 000036
【図３５】
2010152316.tif 000037
【図３６】
2010152316.tif 000038
【図３７】
2010152316.tif 000039
【図３８】
2010152316.tif 000040
【図３９】
2010152316.tif 000041
【図４０】
2010152316.tif 000042
【図４１】
2010152316.tif 000043
【図４２】
2010152316.tif 000044
【図４３】
2010152316.tif 000045
【図４４】
2010152316.tif 000046
【図４５】
2010152316.tif 000047
【図４６】
2010152316.tif 000048
【図４７】
2010152316.tif 000049
【図４８】
2010152316.tif 000050
【図４９】
2010152316.tif 000051